(57)【要約】【課題】簡素な機構で微調整を不要とし、手動で開扉した扉板を自閉的に閉扉させることができるようにした自閉開閉ユニット、及び、この自閉開閉ユニットや扉板などを備えた扉構造を提供する。【解決手段】この自閉開閉ユニットは、蝶番Ｈ、索条体２、ガイド部材１を備えている。蝶番Ｈは、扉板１１０の一方の側面１１１に取り付けられ、扉板１１０の回転支点となる。索条体２は、一端部２ａが扉枠１４０に留められ、他端部２ｃ側が蝶番Ｈから扉板１１０の一方の側面１１１に沿って垂下する。索条体２の他端部２ｃ側には、索条体２の一端側から他端側に向けて張力を生じさせる錘６が取り付けられる。ガイド部材１は、扉板１１０の上面１１３に配置され、索条体２に滑合する。閉扉時において、錘６は、扉板１１０の一方の側面１１１の下部に位置する。扉板が押された開扉時において、錘６は、扉板１１０の一方の側面の上部に位置する。【選択図】図２
2015098738.tif 000002
【特許請求の範囲】
【請求項１】
扉板の一方の側面に取り付けられる蝶番であって、扉板の回転支点となる蝶番と、
扉板の上面及び一方の側面に沿わされる索条体であって、一端部が閉扉した扉板を囲む扉枠に留められ、他端部側が前記蝶番から扉板の一方の側面に沿って垂下した索条体と、
該索条体と滑合するガイド部材であって、扉板の上面に配置されるガイド部材と、
前記索条体の一端側から他端側に向けて張力を生じさせる張力発生部材とを備えていることを特徴とする自閉開閉ユニット。
【請求項２】
前記張力発生部材は、前記索条体の他端部側に取り付けられる錘であることを特徴とする請求項１に記載の自閉開閉ユニット。
【請求項３】
前記張力発生部材は、前記索条体の他端部側と扉板の一方の側面の下部側とに架け渡される引張バネであることを特徴とする請求項１に記載の自閉開閉ユニット。
【請求項４】
前記蝶番は、回転支点となる円筒状の転動部を備え、前記索条体が転動部に挿通されていることを特徴とする請求項１ないし３のいずれか一項に記載の自閉開閉ユニット。
【請求項５】
前記蝶番は、前記索条体を掛けるプーリを前記転動部の上端に備えていることを特徴とする請求項４に記載の自閉開閉ユニット。
【請求項６】
前記蝶番は、前記転動部に衝合する側面を有する可動体と、該転動部と可動体の側面との衝合部分を少なくとも覆うカバーとをさらに備えていることを特徴とする請求項４又は５に記載の自閉開閉ユニット。
【請求項７】
前記蝶番は、扉板の一方の側面に形成された凹陥部に嵌め込まれるブラケットであって、前記転動体の基部を嵌め込む嵌合部を設けたブラケットをさらに備えていることを特徴とする請求項４ないし６のいずれか一項に記載の自閉開閉ユニット。
【請求項８】
請求項１ないし７のいずれか一項に記載の自閉開閉ユニットと、該自閉開閉ユニットの蝶番を取り付ける扉板と、閉扉した扉板の側面及び上面を囲む扉枠とを備えていることを特徴とする扉構造。
【請求項９】
前記扉板は、重なり合うように向き合って開扉した状態と間隔を空けて直線状に並んで閉扉した状態とに開閉する２枚備えられ、２枚の扉板の隣り合う各一方の側面間に介在する中空の遮蔽体を備え、前記索条体の他端部側が遮蔽体内で垂下し、前記張力発生部材が遮蔽体内に入れられていることを特徴とする請求項８に記載の扉構造。
【請求項１０】
前記扉枠は、凹条を下面に設けた上枠を備え、前記ガイド部材は、索条体が巻き付くローラと該ローラの中心軸とを備え、該中心軸の上端が前記上枠の凹条内に係入していることを特徴とする請求項９に記載の扉構造。
【発明の詳細な説明】
【技術分野】
【０００１】
本発明は、扉板の回転支点となる蝶番を備えた自閉開閉ユニット、及び、この自閉開閉ユニットを備えた扉構造に関する。
【背景技術】
【０００２】
扉板が蝶番によって扉枠に取り付けられた開き戸や、２枚の扉板が蝶番に連結された折戸などが種々提供されている。いずれも扉板が蝶番を回転支点として開閉する。蝶番は、扉板の回転を円滑にする支点であり、手動で開扉した扉板を自動的に閉扉させる機構を備えていない（例えば特許文献１参照）。ただし、開き戸にあっては、自閉させるドアクローザを備える場合もある。しかし、ドアクローザは、複雑な機構を備えるだけでなく、微調整も必要であり、使い勝手がよいといえない。
【先行技術文献】
【特許文献】
【０００３】
【特許文献１】特開２００９−２５７０５６号公報
【発明の概要】
【発明が解決しようとする課題】
【０００４】
本発明は、簡素な機構で微調整も不要とし、手動で開扉した扉板を自動的に閉扉させることができるようにした自閉開閉ユニット、及び、この自閉開閉ユニットや扉板などを備えた扉構造を提供することを課題とする。
【課題を解決するための手段】
【０００５】
本発明に係る自閉開閉ユニットは、扉板の一方の側面に取り付けられる蝶番であって、扉板の回転支点となる蝶番と、扉板の上面及び一方の側面に沿わされる索条体であって、一端部が閉扉した扉板を囲む扉枠に留められ、他端部側が前記蝶番から扉板の一方の側面に沿って垂下した索条体と、該索条体と滑合するガイド部材であって、扉板の上面に配置されるガイド部材と、前記索条体の一端側から他端側に向けて張力を生じさせる張力発生部材とを備えていることを特徴としている。
【０００６】
この自閉開閉ユニットによれば、閉扉している状態において、索条体は、その一端から滑合するガイド部材を経由して蝶番までが真っ直ぐ伸びた状態となっている。そして、扉板が押される又は引かれることで、扉板が蝶番を回転支点として開扉する。この開扉状態において、索条体の一端とガイド部材と蝶番のいずれかが、閉扉していた位置から変位する。そうすると、索条体は、その一端からガイド部材に滑合して蝶番までが折れ曲がった状態となり、閉扉していたときよりも長くなる。
【０００７】
そして、扉板が押されなくなる又は引っ張られなくなると、張力発生部材によって、索条体が一端側から他端側に向けて引っ張られていることから、一端から蝶番まで長くなった索条体には、その長さを短くさせようとする力が作用する。そうすると、索条体に滑合しているガイド部材には、索条体の一端部に近づく方向の力が作用する。そして、索条体とガイド部材と蝶番が真っ直ぐに伸びた状態になると、ガイド部材が元の位置まで戻り、完全に閉扉した状態となる。
【０００８】
ここで、本発明に係る自閉開閉ユニットの一態様として、前記張力発生部材は、前記索条体の他端部側に取り付けられる錘である構成を採用することができる。自閉開閉ユニットが、索条体の他端を引っ張る錘を備えることにより、索条体は、常時、一定の張力で引っ張られるため、開扉した扉板は、一定の速度で閉扉する。
【０００９】
また、本発明に係る自閉開閉ユニットの他態様として、前記張力発生部材は、前記索条体の他端部側と扉板の一方の側面の下部側とに架け渡される引張バネであってもよい。自閉開閉ユニットが、索条体の他端を引っ張る引張バネを備えることにより、開扉した扉板は、伸びた引張バネの引張力が強いことから速めに閉扉し始め、その後、引張バネが縮むにつれ、その勢いが次第に弱められ、ゆっくりとした速度で全閉する。
【００１０】
また、本発明に係る自閉開閉ユニットのさらに異なる態様として、前記蝶番は、回転支点となる円筒状の転動部を備え、前記索条体が転動部に挿通されていることが好ましい。この自閉開閉ユニットによれば、索条体が蝶番に備えられた円筒状の転動部を挿通することにより、索条体の他端部側が垂下する方向が誘導され、また、垂下している索条体の他端部側が蝶番の動きの邪魔にならないようにすることができる。
【００１１】
また、本発明に係る自閉開閉ユニットのさらに別の態様として、前記蝶番は、前記索条体を掛けるプーリを前記転動部の上端に備えていることが好ましい。この自閉開閉ユニットによれば、索条体の中間部がプーリに掛けられることで、索条体の中間部と蝶番との接触抵抗を低減することができ、したがって、この自閉開閉ユニットを取り付けた扉体は、開閉がスムーズになり、さらに、索条体が磨耗によって破断しにくいようにすることができる。
【００１２】
また、本発明に係る自閉開閉ユニットのさらに別の態様として、前記蝶番は、前記転動部に衝合する側面を有する可動体と、該転動部と可動体の側面との衝合部分を少なくとも覆うカバーとをさらに備えていてもよい。
【００１３】
この自閉開閉ユニットによれば、カバーが転動部と可動体の側面との衝合部分を少なくとも覆うことにより、塵埃が側面と転動部との間に入り込まないようにし、さらに、外観を良好にすることができる。
【００１４】
また、本発明に係る自閉開閉ユニットのさらに別の態様として、前記蝶番は、扉板の一方の側面に形成された凹陥部に嵌め込まれるブラケットであって、前記転動体の基部を嵌め込む嵌合部を設けたブラケットをさらに備えている構成を採用することができる。
【００１５】
この自閉開閉ユニットによれば、ブラケットを備えることにより、扉板の一方の側面に形成された凹陥部にブラケットを効率的に所定の姿勢で固定することができる。そして、ブラケットに嵌合部が備えられるため、転動体の基部をブラケットの嵌合部に容易に装着することができる。したがって、この自閉開閉ユニットは、扉板の一方の側面に効率的に所定の姿勢で取り付けることができる。
【００１６】
また、本発明に係る扉構造は、上記自閉開閉ユニットと、該自閉開閉ユニットの蝶番を取り付ける扉板と、閉扉した扉板の側面及び上面を囲む扉枠とを備えていることを特徴としている。
【００１７】
この扉構造によれば、蝶番を回転支点として開閉する扉板が自閉開閉ユニットを備えることにより、手動で開扉した扉板を自動的に閉扉するようにすることができる。
【００１８】
ここで、本発明に係る扉構造の一態様として、前記扉板は、重なり合うように向き合って開扉した状態と間隔を空けて直線状に並んで閉扉した状態とに開閉する２枚備えられ、２枚の扉板の隣り合う各一方の側面間に介在する中空の遮蔽体を備え、前記索条体の他端部側が遮蔽体内で垂下し、前記張力発生部材が遮蔽体内に入れられている構成を採用することができる。
【００１９】
この扉構造によれば、折戸において遮蔽体を備えることにより、閉扉した状態の２枚の扉板の一方の側面間に間隔が空けられていても、２枚の扉板の間から覗かれないようにすることができる。そして、索条体の他端部側が遮蔽体内で垂下し、張力発生部材が遮蔽体内に入れられることで、索条体の他端部側及び張力発生部材が、中空の遮蔽体内に隠され、目障りにならないようにし、また、扉の開閉の邪魔にならないようにすることができる。
【００２０】
また、本発明に係る扉構造の他態様として、前記扉枠は、凹条を下面に設けた上枠を備え、前記ガイド部材は、索条体が巻き付くローラと該ローラの中心軸とを備え、該中心軸の上端が前記上枠の凹条内に係入している構成を採用することができる。
【００２１】
この扉構造によれば、ガイド部材がローラを備え、このローラに索条体が巻き付くことで、両開きの折戸であっても自閉させることができる。また、ガイド部材の中心軸の先端が上枠の下面に設けられた凹条内に入ることで、扉板の移動方向が規制され、折戸をスムーズに開閉することができる。
【発明の効果】
【００２２】
本発明によれば、簡素な機構でありながら、手動で開扉した扉板を自動的に閉扉させることができるようにした自閉開閉ユニット、及び、この自閉開閉ユニットや扉板などを備えた扉構造を提供することができる。
【図面の簡単な説明】
【００２３】
【図１】図１は、本発明に係る扉構造の第１の実施形態を示す概略斜視図である。
【図２】図２は、本発明に係る自閉開閉ユニットの第１の実施形態を示す概略斜視図である。
【図３】図３は、本発明に係る自閉開閉ユニットの第１の実施形態の要部を示す概略斜視図である。
【図４】図４は、本発明に係る自閉開閉ユニットの第１の実施形態の要部を示す分解斜視図である。
【図５】図５は、本発明に係る自閉開閉ユニットの第１の実施形態における転動体を示す概略斜視図である。
【図６】図６は、本発明に係る自閉開閉ユニットの第１の実施形態における可動体を示す概略斜視図である。
【図７】図７は、本発明に係る扉構造の第１の実施形態における閉扉状態を示し、（ａ）は（ｂ）のＶＩＩ−ＶＩＩ線断面図、（ｂ）は正面図である。
【図８】図８は、本発明に係る扉構造の第１の実施形態における半開きの状態を示し、（ａ）は（ｂ）のＶＩＩＩ−ＶＩＩＩ線断面図、（ｂ）は正面図である。
【図９】図９は、本発明に係る扉構造の第１の実施形態における全開の状態を示し、（ａ）は（ｂ）のＩＸ−ＩＸ線断面図、（ｂ）は正面図である。
【図１０】図１０は、本発明に係る自閉開閉ユニットの第２の実施形態を示す概略斜視図である。
【図１１】図１１は、本発明に係る自閉開閉ユニットの第２の実施形態を示す要部拡大正面図である。
【発明を実施するための形態】
【００２４】
本発明に係る自閉開閉ユニット及び扉構造の第１の実施形態について図１ないし図９を参照しながら説明する。この自閉開閉ユニットは、図１に示すように、折戸を構成している２枚の扉板１１０，１１０が対向する一方の側面１１１，１１１の上端部に設けられた凹陥部１１２に取り付けられる。
【００２５】
折戸は、各扉板１１０，１１０の一方の側面１１１，１１１を回転中心として揺動し、各扉板１１０，１１０が重なり合うように向き合って開扉した状態と、間隔を空けて直線状に並んで閉扉した状態とに開閉する。図示した２枚の扉板１１０，１１０は、開閉しやすいように幅の比が１：２とされているが、１：１であってもよい。以下、必要に応じて、狭い幅の扉板１１０を小扉１１０ａ、広い幅の扉板１１０を大扉１１０ｂとして説明する。
【００２６】
このような扉板１１０，１１０は、閉扉した状態において、その周囲が扉枠１４０に囲まれる。扉枠１４０は、鉛直姿勢の一対の縦枠１４１，１４１と、この縦枠１４１，１４１の各上端に架け渡される水平姿勢の上枠１４２とを備えている。上枠１４２の下面には、凹条１４３が設けられている。凹条１４３は、上枠１４２に固定されたハンガーレールによって構成される。ハンガーレールは、隙間を空けて並列する２本のレール（図示せず）を備えている。
【００２７】
このハンガーレールの２本のレール上を吊り車（図示せず）が走行する。吊り車は、レール上で転動する一対の車輪と、この一対の車輪の間から下方に突出する軸部とを備えている。軸部は、２本のレール間から下方に突出し、大扉１１０ｂの上面１１３に固定される。したがって、大扉１１０ｂは、吊り車を介して、ハンガーレールに吊り下げられる状態となる。また、軸部には、ローラのようなガイド部材１が取り付けられている。ガイド部材１は、上枠１４２と大扉１１０ｂの上面１１３との間に配置される。
【００２８】
そして、扉板１１０，１１０の一方の側面１１１，１１１の上端部に取り付けられる自閉開閉ユニットは、蝶番Ｈと、ワイヤーやロープなどの索条体２と、この索条体２の中間部２ｂが滑合するガイド部材１を備えている。ガイド部材１は、索条体２が１周ほど巻き付くローラと、このローラの中心を貫通する中心軸とを備えている。中心軸は、前記吊り車の軸部と兼用される。したがって、ガイド部材１の軸部の上端が上枠１４２に設けられた凹条１４３内に係入する。
【００２９】
蝶番Ｈは、一対の転動体１０，１０と、ブロック状の可動体２０と、一対の連結体３０ａ，３０ｂとを備えている。転動体１０は、図５に示すように、鉛直姿勢とされた変形板状の基部１１と、この基部１１から水平方向に突出した支持部１２と、この支持部１２の先端に設けられた鉛直姿勢の円筒状の転動部１３とを有している。基部１１には、支持部１２との境界部に水平方向の挿通部１４が設けられている。
【００３０】
この転動体１０は、一対（２個一組）で構成され、転動部１３が間隔を空けて向き合わされる。また、転動部１３の中心軸には中空部１５が設けられている。また、転動部１３の外周には、歯車が設けられている。また、転動部１３の上側と下側の各端部１６，１６は、円筒状に形成されている。上側の端部１６には、プーリ３（図３参照）の回転軸を支持する軸受１７が設けられている。なお、プーリ３は、大扉１１０ｂ側の転動体１０に設けられた軸受１７にのみ備えられる。
【００３１】
そして、可動体２０は、図６に示すように、変形直方体状に形成され、一対の側面２１ａ，２１ｂと、上面２２ａ及び下面２２ｂと、正面２３ａ及び背面２３ｂの六面を有している。各側面２１ａ，２１ｂは、一対の転動体１０，１０の転動部１３，１３にそれぞれ衝合して挟まれた状態となる。
【００３２】
したがって、各側面２１ａ，２１ｂには、転動体１０の転動部１３に設けられた歯車と噛み合う歯車が形成されている。なお、図示した歯車は、平歯車であるが、転動部１３が傘歯車のように形成されることで、可動体２０は、各側面２１ａ，２１ｂを傾斜し、正面視を台形のようにした形状としてもよい。
【００３３】
いずれにしても、転動部１３の歯車と可動体２０の歯車とが噛み合うことで、可動体２０が蝶番の軸のように機能し、各転動体１０，１０が蝶番の蝶板のように機能する。すなわち、各転動体１０，１０の転動部１３，１３が可動体２０の各側面２１に衝合した回転中心となり、支持部１２及び基部１１が揺動し、可動体２０が一対の転動体１０，１０に挟まれながら前後方向に移動（往復動）する。なお、転動体１０の転動部１３と可動体２０の側面２１ａ，２１ｂの摩擦係数が大きく、滑りにくい場合にあっては、必ずしも、歯車を設ける必要はない。
【００３４】
また、可動体２０の上面２２ａと下面２２ｂには、正面２３ａと背面２３ｂとを結ぶ方向に突条２４が形成されている。図示した突条２４は、２本形成されているが、１本であってもよいし、３本以上であってもよい。また、可動体２０の正面２３ａ及び背面２３ｂには、鉛直方向のアリ溝状の係止部２５が一対ずつ形成されている。
【００３５】
そして、連結体３０ａ，３０ｂは、図４に示すように、可動体２０の上面２２ａに重なる上側の第一連結体３０ａと可動体２０の下面２２ｂに重なる下側の第二連結体３０ｂの一対で構成されている。各連結体３０ａ，３０ｂの両端近傍には、転動部１３の各端部１６を嵌め込む貫通穴３１が形成されている。
【００３６】
また、各連結体３０ａ，３０ｂの各中間部には、可動体２０の上面２２ａと下面２２ｂに形成された突条２４を嵌め込む溝部３２が形成されている。したがって、可動体２０は、突条２４が溝部３２に規制されて移動（往復動）する。また、下側の第二連結体３０ｂには、各貫通穴３１と同軸の円環状の嵌入部３３が一対設けられている。
【００３７】
そして、自閉開閉ユニットは、図４に示すように、可動体２０の各側面２１ａ，２１ｂ及び転動体１０，１０の転動部１３ないし支持部１２を覆う伸縮性帯状の一対のカバー４０をさらに備えている。カバー４０の各端部４１は、可動体２０の溝状の係止部２５に係止される。また、カバー４０の中間部４２は、転動体１０の基部１１に設けられた挿通部１４を挿通している。このカバー４０によって、可動体２０の各側面２１ａ，２１ｂと転動体１０，１０の転動部１３，１３との間に塵埃が入り込まないようにすることができ、さらに、外観を良好にすることができる。
【００３８】
そして、自閉開閉ユニットは、図３の仮想線に示すように、転動体１０の支持部１２を嵌め込む嵌合部５１を設けたブラケット５０を備えている。このブラケット５０の嵌合部５１には、ネジ５を挿通する小孔（採番せず）が形成されている。また、ブラケット５０は、扉板１１０の板厚よりもわずかに薄く成形されている。
【００３９】
このブラケット５０は、扉板１１０の上端部の一方の側面１１１に形成された凹陥部１１２に嵌め込まれ、ネジ５が小孔から扉板１１０の一方の側面１１１に捩じ込まれることにより、ブラケット５０が扉板１１０の上端部の一方の側面１１１に取り付けられる。そして、ブラケット５０の嵌合部５１に自閉開閉ユニットの支持部１２が嵌め込まれることで、自閉開閉ユニットを扉板１１０の上端部の一方の側面１１１に容易に、しかも、所定の姿勢で取り付けることができる。
【００４０】
なお、扉板１１０の下端部の一方の側面１１１にも、ブラケット５０を嵌め込む凹陥部１１２が形成されている。この凹陥部１１２にも前記上側の蝶番Ｈと天地を逆にした下側の自閉開閉ユニットが取り付けられる。すなわち、上側の蝶番Ｈの上側の第一連結体３０ａと下側の第二連結体３０ｂが、それぞれ下側の蝶番Ｈにおいては、下側の第一連結体３０ａと上側の第二連結体３０ｂとなる。したがって、下側の蝶番Ｈでは、上側の第二連結体３０ｂに円環状の嵌入部３３が設けられている。また、下側の蝶番Ｈは、プーリ３を備えていない。
【００４１】
そして、２枚の扉板１１０，１１０の一方の側面１１１，１１１は、間隔を空けて対向している。この対向している一方の側面１１１，１１１間に中空の遮蔽体１５０が介在している。遮蔽体１５０は、間隔を空けて並列させた２本の円筒状部材１５１，１５１と、この円筒状部材１５１，１５１間に挟まれる変形筒状部材１５２とを一体化した構成とされている。
【００４２】
２本の円筒状部材１５１，１５１の間隔は、隣り合わせに向き合う２枚の扉板１１０，１１０の間隔と一致している。また、各円筒状部材１５１，１５１の上端部及び下端部が嵌合部１５３，１５３とされている。この各嵌合部１５３に自閉開閉ユニットの第二連結体３０ｂに設けられた各嵌入部３３が嵌め込まれる。
【００４３】
そして、自閉開閉ユニットに備えられた索条体２の一端部２ａが大扉１１０ｂ側の縦枠１４１に留められている。なお、索条体２の一端部２ａは、上枠１４２の端部に取り付けたフックにとめるようにしてもよい。そして、索条体２の中間部２ｂは、ガイド部材１を１周し、蝶番Ｈのプーリ３に掛けられる。そして、プーリ３よりも先の索条体２の他端部２ｃ側は、転動体１０の転動部１３内から遮蔽体１５０の一方の円筒状部材１５１内を垂下する。
【００４４】
そして、索条体２の他端部２ｃを下方に引っ張る張力発生部材としての錘６が索条体２の他端部２ｃ部に取り付けられている。この索条体２の他端部２ｃ側及び錘６は、遮蔽体１５０の大扉１１０ｂ側円筒状部材１５１（以下、「遮蔽体１５０」として説明する。）内に隠された状態となり、索条体２及び錘６が目障りとならず、また扉板１１０，１１０の開閉の邪魔にならないようにされている。
【００４５】
以上のように、２枚の扉板１１０，１１０と、この扉板１１０，１１０の一方の側面１１１，１１１の上端部と下端部とに取り付けられる自閉開閉ユニットと、閉扉した扉板１１０，１１０を囲む扉枠１４０によって、折戸の扉構造が構成される。
【００４６】
ここで、この扉構造の開扉及び閉扉の動作について説明する。折戸が閉扉しているときは、図７（ａ）に示すように、大扉１１０ｂと小扉１１０ａとが、上枠１４２に沿って直線状に並んでいる。このとき、索条体２は、扉枠１４０の縦枠１４１からガイド部材１を１周して、一方の転動体１０の転動部１３に備えられたプーリ３まで最短の直線状態となる。
【００４７】
したがって、索条体２は、図７（ｂ）に示すように、プーリ３から索条体２の下端部２ｃに取り付けられた錘６までが長く、錘６が遮蔽体１５０内の下部に位置している。なお、この扉構造は、２枚の扉板１１０，１１０の一方の側面１１１，１１１間が遮蔽体１５０によって塞がれるため、折戸の内側は覗かれない。
【００４８】
そして、大扉１１０ｂの先端側（小扉１１０ａと反対側）が押される又は引かれると、上枠１４２に固定されたハンガーレール上を吊り車の車輪が走行し、図８（ａ）に示すように、折戸が半開きの状態となる。すなわち、ガイド部材２が上枠１４２の凹条１４２に沿って移動し、大扉１１０ｂと小扉１１０ａは、蝶番Ｈを回転中心として上枠１４２に対して斜め向きとなる。
【００４９】
したがって、大扉１１０ｂがガイド部材１を中心にして上枠１４２に対して平面視で斜め向きとなり、大扉１１０ｂの先端側が扉枠１４０の上枠１４２から一方側へ変位し、大扉１１０ｂの一方の側面１１１が扉枠１４０の上枠１４２から他方へ変位する。
【００５０】
そして、大扉１１０ｂの一方の側面１１１に取り付けられた蝶番Ｈ及び小扉１１０ａの一方の側面１１１も、扉枠１４０の上枠１４２から他方側へ当然ながら変位する。このとき、一対の転動体１０，１０の各転動部１３，１３が可動体２０の各側面２１ａ，２１ｂを挟んだ状態のまま裏面２３ｂの方に移動する。
【００５１】
また、カバー４０が伸縮性を有していることから、カバー４０の中間部４２を挿通している各転動体１０の各挿通部１４が接近する方向に変位する。したがって、カバー４０の中間部４２であって一方の端部４１寄りの部位が転動体１０の挿通部１４を挿通する。
【００５２】
そして、索条体２は、扉枠１４０の一方の縦枠１４１からガイド部材１まで扉枠１４０の上枠１４２に沿い、平面視でガイド部材１から斜め方向に折れ曲がり、一方の転動体１０に備えられたプーリ３まで大扉１１０ｂの上面１１３に沿うため、露出しない。
【００５３】
この索条体２は、一端２ａから蝶番Ｈのプーリ３までの距離が閉扉しているときよりも長くなることから、図８（ｂ）に示すように、索条体２のプーリ３から他端部２ｃまでが短くなり、したがって、錘６が上昇する。索条体２の中間部がプーリ３に掛けられ、プーリ３の溝がガイド部材１の方を向いていることから、索条体２には大きな摩擦力が生じず、錘６はスムーズに上昇する。
【００５４】
そして、大扉１１０ｂがさらに押される又は引かれると、折戸が図９（ａ）に示すように全開する。すなわち、大扉１１０ｂと小扉１１０ａが重なり合うように向き合った状態となる。このとき、一対の転動体１０，１０の各転動部１３，１３が可動体２０の各側面２１ａ，２１ｂを挟みながら、裏面２３ｂに隣接する位置まで移動する。
【００５５】
また、カバー４０の中間部４２を挿通している転動体１０，１０の各挿通部１４は、隣り合う位置に変位する。したがって、カバー４０の中間部４２であって一方の端部４１に隣接した部位が転動体１０の挿通部１４を挿通する。
【００５６】
そして、索条体２は、大扉１１０ｂ側の縦枠１４１からガイド部材１まで扉枠１４０の上枠１４２に沿い、ガイド部材１から平面視で直角方向に折れ曲がり、一方の転動体１０に備えられたプーリ３まで大扉１１０ｂの上面１１３に沿うため、露出しない。この索条体２は、一端２ａからプーリ３までの距離が半開きの状態よりも長くなることから、図９（ｂ）に示すように、プーリ３から他端部２ｃまでがさらに短くなり、錘６がさらに上昇する。
【００５７】
半開きのときと同様、索条体２の中間部が蝶番Ｈのプーリ３に掛けられ、プーリ３の溝がガイド部材１の方を向いていることから、索条体２には大きな摩擦力が生じず、錘６はスムーズに上昇する。
【００５８】
この錘６は、索条体２の他端部２ｃを下方に引っ張る負荷を掛ける。したがって、大扉１１０ｂが押されなくなる又は引っ張られなくなると、索条体２の他端部２ｃ側が下降するため、プーリ３から錘６までの索条体２が長くなり、索条体２の一端部２ａからプーリ３までの距離を最短にしようとする力が作用する。
【００５９】
そうすると、ガイド部材１に一方の縦枠１４１の方へ押す力が作用し、図８に示すように半開きの状態となった後、図７に示すように閉扉する。したがって、この扉構造は、開扉した大扉１１０ｂに押す力又は引っ張る力が加えられなくなると、自動的に閉扉する。
【００６０】
次に、本発明に係る自閉開閉ユニット及び扉構造の第２の実施形態について図１０及び図１１を主として参照しながら説明する。この自閉開閉ユニットは、張力発生部材として索条体２の他端部２ｃを引っ張る引張バネ７を備えていることを特徴としている。
【００６１】
引張バネ７は、遮蔽体１５０の大扉１１０ｂ側円筒状部材１５１の下部内に収納され、上端と下端にフック部７ａが設けられている。引張バネ７の上端のフック部７ａが索条体２の他端部２ｃに掛止され、下端のフック部７ａが下側の蝶番Ｈに掛止される。したがって、第２の実施形態では、下側の蝶番Ｈの構成が第１の実施形態と異なっている。
【００６２】
すなわち、第２の実施形態における下側の蝶番Ｈは、図１１に示すように、プーリ３を備えず、そして、上側の第二連結体３０ｂの嵌入部３３に経方向の連通孔（図示せず）が形成され、この連通孔に掛止ピン３５が挿通されている。この掛止ピン３５に引張バネ７の下端のフック７ａが掛止される。したがって、引張バネ７は、上端が引っ張られると、伸長し、引っ張られなくなると元の長さに戻る。
【００６３】
第２の実施形態における他の構成は、第１の実施形態と同様であるため、次に扉の開閉動作について説明する。
【００６４】
図７（ａ）に示すように折戸が閉扉し、大扉１１０ｂと小扉１１０ａが直線状に並んでいるときは、索条体２の他端部２ｃが遮蔽体１５０内で下部に位置している。したがって、索条体２の他端部２ｃに接続された引張バネ７の上端は、遮蔽体１５０内の下部に位置し、最も縮んだ状態にある。
【００６５】
そして、大扉１１０ｂが押される又は引っ張られることで、折戸が図８（ａ）に示すように半開きとなり、大扉１１０ｂと小扉１１０ａが斜めに向き合っているときは、索条体２の他端部２ｃが遮蔽体１５０内で少し上昇する。したがって、索条体２の他端部２ｃに接続された引張バネ７が少し引っ張られ、少し伸びた状態になる。
【００６６】
そして、大扉１１０ｂがさらに押される又は引っ張られると、折戸が図９（ａ）に示すように全開し、大扉１１０ｂと小扉１１０ａが重なり合うように向き合った状態となる。この状態では、索条体２の他端部２ｃが遮蔽体１５０内でさらに上昇する。したがって、索条体２の他端部２ｃに接続された引張バネ７がさらに引っ張られ、最大限伸びた状態となる。
【００６７】
そして、大扉１１０ｂが押されなくなり又は引っ張られなくなると、引張バネ７が索条体２の他端部２ｃを下方に引っ張ることで、索条体２の一端部２ａからプーリ３までの距離を最短にする力が作用する。そうすると、索条体２の中間部２ｂが接触しているガイド部材１が一方の縦枠１４１の方へ付勢され、折戸が半開きの状態から閉扉した状態になる。
【００６８】
ただし、引張バネ７の引張力は、大きく引っ張られるほど強く、小さく引っ張られているときに弱いことから、全開した折戸は、比較的速く半開きとなり、その後、次第にゆっくりと閉じて全閉する。したがって、引張バネ７を備えた扉構造は、閉扉に際して、安全性を向上させたものになる。
【００６９】
なお、本発明は、上記第１、第２の実施形態に限定されるものではなく、本発明の要旨を逸脱しない範囲で種々の変更が可能である。
【００７０】
例えば、上記実施形態では、自閉開閉ユニットを折戸に取り付けた。しかし、本発明に係る自閉開閉ユニットは、１枚の扉板１１０と扉枠１４０の縦枠１４１とに取り付けた開き戸に備えられてもよい。ただし、この場合は、１枚の扉板１１０の一方の側面１１１と縦枠１４１との間に遮蔽体１５０が配置される。また、この場合は、扉枠１４０の上枠１４２に凹条１４３を設ける必要はない。
【００７１】
また、上記実施形態では、扉枠１４０の上枠１４２にハンガーレールを固定し、ハンガーレールに沿って移動する吊り車が大扉１１０ｂを吊り下げるようにした。しかし、本発明に係る自閉開閉ユニットは、扉枠１４０の上枠１４２に凹条とする溝を形成し、この溝に係入するガイド部材１を大扉１１０ｂの上面１１３に突出させるようにしてもよい。
【００７２】
また、上記第１の実施形態では、錘６によって索条体２を引っ張り、上記第２の実施形態では、引張バネ７によって索条体２を引っ張るようにした。しかし、索条体２自体が伸縮性を備えたものとしてもよい。さらに、張力発生部材は、引張バネ７に替え、ゴム部材としてもよい。
【００７３】
また、上記実施形態において、蝶番Ｈは、カバー４０を備えたものとした。しかし、例えば塵埃を考慮しないで使用できる状況下において、蝶番Ｈは、カバー４０を備えないものとしてもよい。この場合、転動体１０は、挿通部１４を備えなくてもよく、可動体２０は、係止部２５を備えなくてもよい。
【００７４】
また、上記実施形態において、自閉開閉ユニットは、ブラケット５０を備えたものとした。しかし、自閉開閉ユニットは、ブラケット５０を備えることなく、転動体１０の基部１１を直接、扉板１１０，１１０の一方の側面１１１，１１１に取り付けてもよい。この場合は、扉板１１０，１１０の一方の側面１１１，１１１に凹陥部１１２，１１２が設けられない。
【００７５】
また、ガイド部材１は、ローラを備えることなく、吊り車の軸部に形成した径方向の貫通孔によって構成してもよい。さらに、図７ないし図９では、折戸が一方のみ開く場合を示したが、反対方向にも開く両開きとすることもできる。特に、この場合において、ガイド部材１は、ローラを備えることなく、吊り車の軸部が兼用してもよい。さらに、扉構造は、ドアや門だけでなく、家具などに備えられてもよい。
【符号の説明】
【００７６】
Ｈ…………蝶番
１…………ガイド部材
２…………索条体
２ａ………索条体の一端
２ｂ………索条体の中間部
２ｃ………索条体の他端
６…………錘（張力発生部材）
７…………引張バネ（張力発生部材）
１０………転動体
１１………基部
１２………支持部
１３………転動部
１４………挿通部
１５………中空部
１６………端部
２０………可動体
２１ａ……側面
２１ｂ……側面
２２ａ……上面
２２ｂ……下面
２３ａ……正面
２３ｂ……背面
２５………係止部
３０ａ……第一連結体
３０ｂ……第二連結体
４０………カバー
４１………カバーの端部
４２………カバーの中間部
５０………ブラケット
１１０……扉板
１１１……一方の側面
１１２……凹陥部
１１３……上面
１４０……扉枠
１４２……上枠
１４３……凹条
１５０……遮蔽体
【図１】
2015098738.tif 000003
【図２】
2015098738.tif 000004
【図３】
2015098738.tif 000005
【図４】
2015098738.tif 000006
【図５】
2015098738.tif 000007
【図６】
2015098738.tif 000008
【図７】
2015098738.tif 000009
【図８】
2015098738.tif 000010
【図９】
2015098738.tif 000011
【図１０】
2015098738.tif 000012
【図１１】
2015098738.tif 000013